(57)【要約】【課題】釣銭機の機内の貨幣の在高で対応可能な取引数を効率良く特定し、業務効率の向上を図ることを課題とする。【解決手段】ＰＯＳレジ２９０は、自装置に接続された釣銭機２００に対して合計金額要求を送信する（Ｓ１１）。釣銭機２００は、ＰＯＳレジ２９０から合計金額要求を受信したならば、金種別の在高から算定された釣銭として払い出せる貨幣の合計金額をＰＯＳレジ２９０に送信する（Ｓ１２）。ＰＯＳレジ２９０は、釣銭機２００から合計金額を受信し（Ｓ１３）、合計金額が１取引における最大の釣銭金額（９９９９円）の何倍であるかを求めることで、釣銭出金可能な取引数を算定する（Ｓ１４）。ＰＯＳレジ２９０は、算定した取引数を表示出力などによって店員に報知する。このため、店員は、取引数を確認し、釣銭の補充のタイミングを定める指標とすることができる。【選択図】図１
2019003358.tif 000002
【特許請求の範囲】
【請求項１】
金銭登録機と、貨幣を収納する収納部を有する釣銭機とを通信可能に接続した貨幣処理システムであって、
前記収納部に収納された貨幣の金額に基づいて、釣銭出金可能な取引数を算定する取引数算定部
を備えたことを特徴とする貨幣処理システム。
【請求項２】
前記収納部に収納された貨幣の合計金額を算定する合計金額算定部を備え、
前記取引数算定部は、
前記合計金額算定部により算定された合計金額に基づいて、釣銭出金可能な取引数を算定する
ことを特徴とする請求項１に記載の貨幣処理システム。
【請求項３】
前記取引数算定部により算定された取引数を報知する報知部をさらに備えたことを特徴とする請求項１又は２に記載の貨幣処理システム。
【請求項４】
前記取引数算定部は、
前記収納部に収納された貨幣の金種毎の枚数及び前記合計金額算定部により算定された合計金額に基づいて、釣銭出金可能な取引数を算定する
ことを特徴とする請求項２又は３に記載の貨幣処理システム。
【請求項５】
前記合計金額算定部は、
特定の金種の貨幣に代えて該金種の貨幣よりも低額の複数の低額貨幣を用いて代替出金を行う場合に、前記貨幣及び前記複数の低額貨幣の合計金額を算定する
ことを特徴とする請求項２又は３に記載の貨幣処理システム。
【請求項６】
前記代替出金を行う場合に、該代替出金に用いる低額貨幣に係る条件を設定する条件設定部をさらに備えたことを特徴とする請求項５に記載の貨幣処理システム。
【請求項７】
前記報知部は、
前記代替出金を行う場合に、前記金銭登録機において前記取引数算定部により算定された取引数とともに、該代替出金に用いる低額貨幣の顧客確認情報を報知する
ことを特徴とする請求項５又は６に記載の貨幣処理システム。
【請求項８】
貨幣を収納する収納部を有する釣銭機であって、
前記収納部に収納された貨幣の金額に基づいて、釣銭出金可能な取引数を算定する取引数算定部と、
前記取引数算定部により算定された取引数を所定の上位装置に対して通知する通知部と
を備えたことを特徴とする釣銭機。
【請求項９】
釣銭となる金種ごとの貨幣を払い出す釣銭機と通信可能に接続された金銭登録機であって、
釣銭機の収納部に収納された貨幣の金額に係る情報を前記釣銭機から受け付ける受付部と、
前記釣銭機の収納部に収納された貨幣の金額に基づいて、釣銭出金可能な取引数を算定する取引数算定部と
を備えたことを特徴とする金銭登録機。
【請求項１０】
所定の表示部と、
前記取引数算定部により算定された取引数に係る情報を前記表示部に表示制御する表示制御部と
をさらに備えたことを特徴とする請求項９に記載の金銭登録機
【請求項１１】
金銭登録機と、貨幣を収納する収納部を有する釣銭機とを通信可能に接続した貨幣処理システムにおける貨幣処理方法であって、
前記収納部に収納された貨幣の金額に基づいて、釣銭出金可能な取引数を算定する取引数算定工程と、
前記取引数算定工程により算定された取引数を報知する報知工程と
を含んだことを特徴とする貨幣処理方法。
【請求項１２】
貨幣を収納する収納部を有する釣銭機における貨幣処理方法であって、
前記収納部に収納された貨幣の金額に基づいて、釣銭出金可能な取引数を算定する取引数算定工程と、
前記取引数算定工程により算定された取引数を所定の上位装置に対して通知する通知工程と
を含んだことを特徴とする貨幣処理方法。
【請求項１３】
釣銭となる金種ごとの貨幣を払い出す釣銭機と通信可能に接続された金銭登録機における貨幣処理方法であって、
釣銭機の収納部に収納された貨幣の金額に係る情報を前記釣銭機から受け付ける受付工程と、
前記釣銭機の収納部に収納された貨幣の金額に係る情報に基づいて、釣銭出金可能な取引数を算定する取引数算定工程と
を含んだことを特徴とする貨幣処理方法。
【発明の詳細な説明】
【技術分野】
【０００１】
本発明は、機内の貨幣の在高で対応可能な取引数を効率良く特定し、業務効率の向上を図ることができる釣銭機、貨幣処理システム、金銭登録機及び貨幣処理方法に関する。
【背景技術】
【０００２】
従来、コンビニエンスストアやスーパーマーケット等の各種店舗には、販売時点管理機能を有する金銭登録機（以下、「ＰＯＳレジ」と言う）と、このＰＯＳレジと通信可能に接続された貨幣処理装置（以下、「釣銭機」と言う）とが配設されている。例えば、店員がＰＯＳレジのバーコードリーダにより商品に付されたバーコードを読み取って商品の価格を特定するとともに、店員が顧客から受け取った貨幣を釣銭機に投入すると、該釣銭機から釣銭が出金される。
【０００３】
かかる釣銭機において釣銭不足が発生すると、ＰＯＳレジにおける取引を行うことができなくなるため、ＰＯＳレジが、釣銭機に対して状態要求コマンドを発行して金種毎の貨幣の枚数を含む状態を取得し、この金種毎の貨幣の枚数に基づいて釣銭を払い出せるか否かを判定し、その結果を報知する技術が知られている（例えば、特許文献１を参照）。
【先行技術文献】
【特許文献】
【０００４】
【特許文献１】特開２００９−１９９１８７号公報
【特許文献２】ＷＯ２０１１／０３０４３７号公報
【発明の概要】
【発明が解決しようとする課題】
【０００５】
しかしながら、上記特許文献１のように、金種毎の貨幣の枚数のみを利用することとすると、あと何取引分の釣銭を出金できるのかを判断できない場合がある。具体的には、一部の金種の貨幣（例えば、１００円硬貨１枚）の代わりに他の金種の貨幣（例えば、５０円硬貨２枚）を代替出金する場合には（例えば、特許文献２を参照）、釣銭機内の特定の貨幣が不足していたとしても釣銭を払い出すことができるため、かかる金種毎の貨幣の枚数のみから釣銭出金の可否を容易に判定することは難しい。
【０００６】
本発明は、上記従来技術の課題を解決するためになされたものであって、釣銭機の機内の貨幣の在高で対応可能な取引数を効率良く特定し、業務効率の向上を図ることができる釣銭機、貨幣処理システム、金銭登録機及び貨幣処理方法を提供することを目的とする。
【課題を解決するための手段】
【０００７】
上述した課題を解決し、目的を達成するため、本発明は、金銭登録機と、貨幣を収納する収納部を有する釣銭機とを通信可能に接続した貨幣処理システムであって、前記収納部に収納された貨幣の金額に基づいて、釣銭出金可能な取引数を算定する取引数算定部を備えたことを特徴とする。
【０００８】
また、本発明は、上記発明において、前記収納部に収納された貨幣の合計金額を算定する合計金額算定部を備え、前記取引数算定部は、前記合計金額算定部により算定された合計金額に基づいて、釣銭出金可能な取引数を算定することを特徴とする。
【０００９】
また、本発明は、上記発明において、前記取引数算定部により算定された取引数を報知する報知部をさらに備えたことを特徴とする。
【００１０】
また、本発明は、上記発明において、前記取引数算定部は、  前記収納部に収納された貨幣の金種毎の枚数及び前記合計金額算定部により算定された合計金額に基づいて、釣銭出金可能な取引数を算定することを特徴とする。
【００１１】
また、本発明は、上記発明において、前記合計金額算定部は、特定の金種の貨幣に代えて該金種の貨幣よりも低額の複数の低額貨幣を用いて代替出金を行う場合に、前記貨幣及び前記複数の低額貨幣の合計金額を算定することを特徴とする。
【００１２】
また、本発明は、上記発明において、前記代替出金を行う場合に、該代替出金に用いる低額貨幣に係る条件を設定する条件設定部をさらに備えたことを特徴とする。
【００１３】
また、本発明は、上記発明において、前記報知部は、前記代替出金を行う場合に、前記金銭登録機において前記取引数算定部により算定された取引数とともに、該代替出金に用いる低額貨幣の顧客確認情報を報知することを特徴とする。
【００１４】
また、本発明は、貨幣を収納する収納部を有する釣銭機であって、前記収納部に収納された貨幣の金額に基づいて、釣銭出金可能な取引数を算定する取引数算定部と、前記取引数算定部により算定された取引数を所定の上位装置に対して通知する通知部とを備えたことを特徴とする。
【００１５】
また、本発明は、釣銭となる金種ごとの貨幣を払い出す釣銭機と通信可能に接続された金銭登録機であって、釣銭機の収納部に収納された貨幣の金額に係る情報を前記釣銭機から受け付ける受付部と、前記釣銭機の収納部に収納された貨幣の金額に基づいて、釣銭出金可能な取引数を算定する取引数算定部とを備えたことを特徴とする。
【００１６】
また、本発明は、上記発明において、所定の表示部と、前記取引数算定部により算定された取引数に係る情報を前記表示部に表示制御する表示制御部とをさらに備えたことを特徴とする。
【００１７】
また、本発明は、金銭登録機と、貨幣を収納する収納部を有する釣銭機とを通信可能に接続した貨幣処理システムにおける貨幣処理方法であって、前記収納部に収納された貨幣の金額に基づいて、釣銭出金可能な取引数を算定する取引数算定工程と、前記取引数算定工程により算定された取引数を報知する報知工程とを含んだことを特徴とする。
【００１８】
また、本発明は、貨幣を収納する収納部を有する釣銭機における貨幣処理方法であって、前記収納部に収納された貨幣の金額に基づいて、釣銭出金可能な取引数を算定する取引数算定工程と、前記取引数算定工程により算定された取引数を所定の上位装置に対して通知する通知工程とを含んだことを特徴とする。
【００１９】
また、本発明は、釣銭となる金種ごとの貨幣を払い出す釣銭機と通信可能に接続された金銭登録機における貨幣処理方法であって、釣銭機の収納部に収納された貨幣の金額に係る情報を前記釣銭機から受け付ける受付工程と、前記釣銭機の収納部に収納された貨幣の金額に係る情報に基づいて、釣銭出金可能な取引数を算定する取引数算定工程とを含んだことを特徴とする。
【発明の効果】
【００２０】
本発明によれば、釣銭機の機内の貨幣の在高で対応可能な取引数を効率良く特定し、業務効率の向上を図ることができる。
【図面の簡単な説明】
【００２１】
【図１】図１は、本実施例に係る貨幣処理システムの概念を説明するための説明図である。
【図２】図２は、釣銭機及びＰＯＳレジの外観構成を示す斜視図である。
【図３】図３は、釣銭機における紙幣処理ユニットの内部構成を示す図である。
【図４】図４は、釣銭機における硬貨処理ユニットの内部構成を示す図である。
【図５】図５は、図２に示したＰＯＳレジの機能ブロック図である。
【図６】図６は、図２に示した釣銭機の機能ブロック図である。
【図７】図７は、図６に示した在高データの具体例を示す図である。
【図８】図８は、図６に示した代替出金制限データの具体例を示す図である。
【図９】図９は、貨幣処理システムの取引に係る処理手順を示すフローチャートである。
【図１０】図１０は、取引数の報知に係る処理手順を示すフローチャートである。
【図１１】図１１は、釣銭機が取引数を算定する場合のＰＯＳレジの制御系の構成図である。
【図１２】図１２は、取引数を算定する釣銭機の制御系の構成図である。
【図１３】図１３は、釣銭機が取引数を算定する場合の処理手順を示すフローチャートである。
【図１４】図１４は、取引数を用いた通知の変形例の説明図である。
【図１５】図１５は、図１４に示したＰＯＳレジの処理手順を示すフローチャートである。
【図１６】図１６は、桁別取引数の報知についての説明図である。
【図１７】図１７は、桁別の合計金額と取引数についての説明図である。
【図１８】図１８は、釣銭用の在高データについての説明図である。
【発明を実施するための形態】
【実施例】
【００２２】
以下、添付図面を参照して、本実施例に係る釣銭機、貨幣処理システム、金銭登録機及び貨幣処理方法の実施例を説明する。本実施例では、コンビニエンスストアやスーパーマーケット等の店内に配設された貨幣処理システムに本発明を適用した場合を示すこととする。
【００２３】
＜本発明に係る貨幣処理システムの概念＞
コンビニエンスストアやスーパーマーケット等の店舗内には、顧客による商品の購入に伴って、その商品データが入力される金銭登録機であるＰＯＳレジと、このＰＯＳレジに接続され、顧客から店員が受け取った現金に応じた釣銭を出金すると共に受け取った現金を収納する釣銭機が設置されている。また、店舗にＰＯＳレジと釣銭機からなる貨幣処理システムを複数セット配置し、ＰＯＳレジの売上データを店舗内のサーバに集約する場合もある。
【００２４】
図１は、本実施例に係る貨幣処理システムの概念を説明するための説明図である。図１（ａ）に示すように、本実施例に係るＰＯＳレジ２９０は、自装置に接続された釣銭機２００に対して合計金額要求を送信することができる（Ｓ１１）。釣銭機２００は、内部に収納した貨幣について金種別の在高を記憶しており、ＰＯＳレジ２９０から合計金額要求を受信したならば、金種別の在高から算定された釣銭として払い出せる貨幣の合計金額をＰＯＳレジ２９０に送信する（Ｓ１２）。
【００２５】
ＰＯＳレジ２９０は、釣銭機２００から合計金額を受信し（Ｓ１３）、釣銭出金可能な取引数を算定する（Ｓ１４）。最高額の金種が１万円であり、最低額の金種が１円であれば、１回の取引で発生する釣銭は最高で９９９９円となる。従って、釣銭機２００から受信した合計金額が９９９９円の何倍であるかを求めれば、釣銭出金可能な取引数を算定することができる。
【００２６】
図１に示した例では、釣銭機２００が払い出せる貨幣の合計金額が「２９９９９円」であるので、取引数は「３回」となる。図１（ｂ）に示すように複数の顧客がいる場合、通常は１人の顧客による１又は複数の商品の購入が１取引となるため、取引数が「３回」であれば、３人分の取引について釣銭が担保されているとみなすことができる。
【００２７】
ＰＯＳレジ２９０は、算定した取引数を表示出力などによって店員に報知する。このため、店員は、取引数を確認し、釣銭の補充のタイミングを定める指標とすることができる。
【００２８】
このように、釣銭機２００に収納された貨幣の合計金額に基づいて釣銭出金可能な取引数を算定し、取引数を報知することで、釣銭機２００の機内の貨幣の在高で対応可能な取引数を効率良く特定し、業務効率の向上を図ることができる。
【００２９】
特に、一部の金種の貨幣が不足したときに他の金種の貨幣を用いて釣銭を払い出す代替出金を用いる場合には、金種毎の貨幣の枚数のみから釣銭出金の可否を判定することが困難であるため、合計金額に基づく取引数は重要な指標となる。
【００３０】
＜釣銭機２００の構成＞
次に、釣銭機２００の詳細な構成について図２〜図６を用いて説明する。図２等に示すように、本実施例１による釣銭機２００は、硬貨処理ユニット２５０と、硬貨処理ユニット２５０の隣に並ぶよう配置された紙幣処理ユニット２１０とを備えており、紙幣処理ユニット２１０や硬貨処理ユニット２５０の上方にはＰＯＳレジ２９０が載置される。紙幣処理ユニット２１０及び硬貨処理ユニット２５０は、それぞれ硬貨や紙幣の入出金処理を行う。また、ＰＯＳレジ２９０は、釣銭機２００の管理を行う管理装置として用いられる。
【００３１】
まず、紙幣処理ユニット２１０の構成について図２及び図３を用いて具体的に説明する。図２及び図３に示すように、紙幣処理ユニット２１０は、略直方体形状の筐体２１２を有し、筐体２１２の前面に紙幣受入部２２２、紙幣払出部２２０、出金リジェクト部２２４及びカセット装着部２２６が配置されている。
【００３２】
紙幣受入部２２２は、操作者による紙幣の投入を受け付け、紙幣処理ユニット２１０の内部に取り込む処理部である。紙幣払出部２２０は、紙幣処理ユニット２１０の内部から紙幣を払い出す処理部である。
【００３３】
カセット装着部２２６は、売上金の回収や釣銭の補充に用いる収納カセットを着脱可能である。出金リジェクト部２２４は、金種が識別できない等、出金に適さない紙幣を内部に集積する。
【００３４】
また、紙幣処理ユニット２１０は、筐体２１２の内部で紙幣を１枚ずつ搬送する搬送部２３０と、筐体２１２の内部で紙幣を収納するとともに収納されている紙幣を繰出可能な複数の紙幣収納部２３４、２３６、２３８とを備える。なお、図３において、筐体２１２の下側の側面が紙幣処理ユニット２１０の手前側の面であり、図３における上向きの方向が紙幣処理ユニット２１０の奥行き方向である。
【００３５】
図３に示すように、搬送部２３０は、筐体２１２の中央位置に配置された周回搬送部２３０ａ及び複数の接続搬送部２３０ｂから構成されている。また、紙幣受入部２２２、紙幣払出部２２０、出金リジェクト部２２４、収納カセット３００を着脱自在に装着可能なカセット装着部２２６及び３つの紙幣収納部２３４、２３６、２３８が、それぞれ周回搬送部２３０ａを取り囲むよう配置されている。
【００３６】
また、図３に示すように、複数の接続搬送部２３０ｂの各々により、紙幣受入部２２２、紙幣払出部２２０、出金リジェクト部２２４、カセット装着部２２６及び３つの紙幣収納部２３４、２３６、２３８の各々と、周回搬送部２３０ａとの間がそれぞれ接続される。また、周回搬送部２３０ａには識別部２３２が設けられており、この識別部２３２は、周回搬送部２３０ａにより搬送される紙幣の金種、真偽、正損、表裏、搬送状態等の識別を行う。
【００３７】
周回搬送部２３０ａは、図３における時計回りの方向及び反時計回りの方向の両方向に紙幣を１枚ずつ搬送することができる。また、搬送部２３０において、周回搬送部２３０ａと各接続搬送部２３０ｂとの間で紙幣の搬送経路を切り換える経路切換部（図示せず）が、周回搬送部２３０ａに沿って配置されている。
【００３８】
図２及び図３に示すように、筐体２１２の前面には、紙幣受入部２２２の紙幣受入口と紙幣払出部２２０の紙幣取出口とが設けられている。また、カセット装着部２２６は、収納カセット３００の装着と取り外しが可能である。
【００３９】
紙幣受入部２２２には紙幣繰出機構２２１が設けられており、入出金口に１枚あるいは複数枚の紙幣が投入されたことが検知されると、紙幣繰出機構２２１が駆動されることにより紙幣が接続搬送部２３０ｂを介して周回搬送部２３０ａ側へ１枚ずつ繰り出される。
【００４０】
また、紙幣払出部２２０は、各紙幣収納部２３４、２３６、２３８から周回搬送部２３０ａに繰り出された紙幣を紙幣取出口により筐体２１２の外部へ放出するよう構成されている。
【００４１】
出金リジェクト部２２４は、出金処理時において各紙幣収納部２３４、２３６、２３８から繰り出された紙幣のうち、重送や斜行等の搬送異常により識別部２３２で識別することができない紙幣を出金リジェクト紙幣として収納する。また、紙幣受入部２２２から筐体２１２の内部に取り込まれた紙幣のうち、入金処理時において汚損等により識別部２３２で識別することができない紙幣は、入金リジェクト紙幣として紙幣払出部２２０に返却される。
【００４２】
各紙幣収納部２３４、２３６、２３８は、識別部２３２の識別結果に基づいて紙幣を金種別に収納する。これらの紙幣収納部２３４、２３６、２３８には、紙幣処理ユニット２１０に入金された売上金としての紙幣や釣銭として出金されるべき紙幣が収納される。例えば、紙幣収納部２３４には１０００円札が収納され、紙幣収納部２３６には５０００円札が収納され、紙幣収納部２３８には１００００円札が収納される。また、各紙幣収納部２３４、２３６、２３８にはそれぞれ紙幣繰出機構２３５、２３７、２３９が設けられており、これらの紙幣収納部２３４、２３６、２３８に収納されている紙幣は、各紙幣繰出機構２３５、２３７、２３９により接続搬送部２３０ｂを介して周回搬送部２３０ａ側へ１枚ずつ繰り出される。
【００４３】
次に、硬貨処理ユニット２５０の構成について説明する。図２及び図４に示すように、硬貨処理ユニット２５０は、略直方体形状の筐体２５１と、筐体２５１の前面側に設けられた硬貨受入部２５２と、筐体２５１の前面側において硬貨受入部２５２の下方に設けられた硬貨払出部２６６と、筐体２５１の内部で硬貨を収納するとともに収納されている硬貨を繰出可能な複数の収納繰出部２６０とを備えている。
【００４４】
硬貨受入部２５２は、硬貨投入口を介して受け入れた硬貨を１層１列状態で１枚ずつ筐体２５１内に取り込む。具体的には、硬貨受入部２５２には繰出ベルト等からなる硬貨繰出機構２５３（図６参照）が設けられており、硬貨受入部２５２に受け入れられた硬貨を検知すると、この硬貨繰出機構２５３が駆動されることにより当該硬貨繰出機構２５３によって硬貨が筐体２５１の内部に１枚ずつ繰り出される。また、図４に示すように、硬貨受入部２５２には、当該硬貨受入部２５２により筐体２５１の内部に繰り出された硬貨を搬送する入金搬送部２５４が接続されている。
【００４５】
図４に示すように、入金搬送部２５４の途中には、硬貨の金種、真偽、正損、表裏、搬送状態等の識別を行う識別部２５６と、分岐部２５８とがそれぞれ設けられている。分岐部２５８は、識別部２５６による硬貨の識別結果に基づいて、リジェクト硬貨等の、硬貨払出部２６６から払い出されるべき硬貨を入金搬送部２５４から分岐させて出金搬送部２６２へ案内する。
【００４６】
一方、正常硬貨等の筐体２５１内に収納されるべき硬貨は入金搬送部２５４により各収納繰出部２６０へ搬送される。収納繰出部２６０は、硬貨を金種別に収納するとともに、収納されている硬貨を繰出可能となるよう構成されている。例えば、日本国で流通している硬貨の６つの金種（５００円硬貨、１００円硬貨、５０円硬貨、１０円硬貨、５円硬貨及び１円硬貨）に対応して６つの収納繰出部２６０が設けられており、入金搬送部２５４の上流側（すなわち、図４における下側）から低額順に各収納繰出部２６０に硬貨が金種毎に収納される。また、収納繰出部２６０には、当該収納繰出部２６０に収納された硬貨を１枚ずつ出金搬送部２６２に繰り出す硬貨繰出機構（図示せず）が設けられている。
【００４７】
出金搬送部２６２は、収納繰出部２６０から繰り出された硬貨を硬貨払出部２６６へ搬送する。また、出金搬送部２６２は、分岐部２５８により入金搬送部２５４から分岐させられたリジェクト硬貨等を硬貨払出部２６６へ搬送する。
【００４８】
＜ＰＯＳレジスタの構成＞
次に、ＰＯＳレジ２９０の構成について具体的に説明する。図２及び図５に示すように、ＰＯＳレジ２９０は、操作者用の表示部２９３、顧客用の表示部２９３ａ、操作キー等の操作部２９４、バーコードリーダ２９８、カードリーダ２９６、印字部２９７、記憶部２９５、通信部２９２及びＰＯＳ制御部２９１を有する。
【００４９】
表示部２９３は、操作者が視認可能な表示部であり、商品情報の読み取り結果、購入に係る各種情報、釣銭機２００の処理状況や在高等の情報の表示に用いられる。表示部２９３ａは、顧客が視認可能な表示部であり、商品情報の読取結果、合計金額や釣銭金額等の購入に係る各種情報に用いられる。操作部２９４は、操作者による各種操作入力に用いられる。
【００５０】
バーコードリーダ２９８は、商品に付されたバーコードを読み取って復号することで商品に係る情報の取得を行う。カードリーダ２９６は、操作者（レジ担当者）のＩＤカードの読み取りや、顧客のクレジットカードの読み取り等に用いられる。印字部２９７は、取引内容を印字したレシートの発行に用いられる。
【００５１】
記憶部２９５は、フラッシュメモリ等の不揮発性メモリ又はハードディスク装置等の二次記憶媒体等からなる記憶デバイスである。この記憶部２９５は、ＰＯＳ制御部２９１が実行する精算処理プログラムの記憶、商品から読み取った商品情報の一時記憶、その他購入に係る各種情報の一時記憶などに用いられる。通信部２９２は、釣銭機２００や上位のサーバと通信を行う通信インタフェースである。
【００５２】
ＰＯＳ制御部２９１は、ＰＯＳレジ２９０を全体制御する制御部であり、購入金額算出部２９１ａ、投入貨幣金額情報取得部２９１ｂ、最適釣銭構成通知部２９１ｃ、合計金額受付部２９１ｄ、取引数算定部２９１ｅ、表示制御部２９１ｆを有する。なお、実際には、ＣＰＵ（Ｃｅｎｔｒａｌ  Ｐｒｏｃｅｓｓｉｎｇ  Ｕｎｉｔ）が、記憶部２９５から精算処理プログラムをロードして実行することで、購入金額算出部２９１ａ、投入貨幣金額情報取得部２９１ｂ、最適釣銭構成通知部２９１ｃ、合計金額受付部２９１ｄ、取引数算定部２９１ｅ、表示制御部２９１ｆにそれぞれ対応するプロセスを実行させることになる。
【００５３】
購入金額算出部２９１ａは、バーコードリーダ２９８が取得した商品の情報や、操作部２９４により入力された商品の情報に基づいて、顧客により購入された商品の購入金額を算出する処理部である。
【００５４】
投入貨幣金額情報取得部２９１ｂは、購入金額算出部２９１ａにより購入金額が算出された場合に釣銭機２００に入金要求を送信し、釣銭機２００に投入された投入貨幣の金額情報を取得する。
【００５５】
最適釣銭構成通知部２９１ｃは、購入金額と投入貨幣金額の差分を釣銭金額として算出し、釣銭金額に対応する貨幣の金種ごとの枚数の合計値が最小となる最適釣銭構成を求め、最適釣銭構成を含む出金要求を釣銭機２００に送信する。
【００５６】
合計金額受付部２９１ｄは、釣銭機２００に対して合計金額要求を送信し、釣銭機２００から合計金額を受信する処理部である。合計金額要求は、例えば取引が終了するごとに行われる。
【００５７】
取引数算定部２９１ｅは、釣銭機２００から受信した合計金額に基づいて釣銭出金可能な取引数を算定する処理部である。具体的には、金種の最高額から最低額を減算した値で合計金額を除算した商を取引数とする。
【００５８】
表示制御部２９１ｆは、取引数算定部２９１ｅにより算定された取引数を表示部２９３に表示制御する処理を行う。また、表示制御部２９１ｆは、釣銭機２００から代替出金に係る情報を受け付けた場合に、代替出金に係る情報を表示部２９３に表示制御する。
【００５９】
具体的には、釣銭機２００から最適釣銭構成と異なる代替釣銭構成の釣銭が出金された旨の通知を受け付けた場合に、表示部２９３に代替出金がなされた旨を表示制御することになる。また、釣銭機２００からの通知に出金した金種の構成が示されていれば、金種の構成と、どの金種について代替出金を行ったかについても表示部２９３に表示制御する。
【００６０】
また、代替出金が必要となった場合に、出金前に顧客から代替出金の許可を得るようにしてもよい。この場合には、代替釣銭構成を表示部２９３ａに表示して顧客に確認させた上で、許可を得ることが望ましい。
【００６１】
＜釣銭機２００の制御系の構成＞
次に、釣銭機２００の制御系の構成について図６を用いて説明する。釣銭機２００の紙幣処理ユニット２１０は、紙幣制御部２１０ａに通信部２４０と、搬送部２３０と、識別部２３２と、各紙幣繰出機構（紙幣繰出機構２２１、２３５、２３７、２３９）と、カセット装着部２２６とを接続した構成を有する。
【００６２】
通信部２４０は、硬貨処理ユニット２５０と通信を行う通信インタフェースである。紙幣制御部２１０ａは、識別部２３２による識別結果を用いて搬送部２３０及び各紙幣繰出機構を駆動することで紙幣の搬送を行い、紙幣の搬送結果を硬貨処理ユニット２５０に送信する。また、紙幣制御部２１０ａは、カセット装着部２２６からカセットの装着状況を取得し、硬貨処理ユニット２５０に送信する。
【００６３】
釣銭機２００の硬貨処理ユニット２５０は、上位制御部２０２に通信部２０３、操作表示部２０４、記憶部２０５及び硬貨制御部２５０ａを接続し、硬貨制御部２５０ａに硬貨繰出機構２５３、入金搬送部２５４、識別部２５６、分岐部２５８、各収納繰出部２６０及び出金搬送部２６２を接続した構成を有する。
【００６４】
硬貨制御部２５０ａは、識別部２５６による識別結果を用いて硬貨繰出機構２５３、入金搬送部２５４、分岐部２５８、各収納繰出部２６０及び出金搬送部２６２を駆動することで硬貨の搬送を行い、硬貨の搬送結果を上位制御部２０２に送信する。
【００６５】
通信部２０３は、紙幣処理ユニット２１０やＰＯＳレジ２９０と通信を行う通信インタフェースである。操作表示部２０４は、硬貨処理ユニット２５０の筐体２５１の上面に設けられたタッチパネル等であり、操作者が操作するための操作画面や、紙幣処理ユニット２１０及び硬貨処理ユニット２５０の各々に収納されている貨幣の在高に係る情報を操作表示部２０４に表示する。操作者は、操作表示部２０４に表示された操作画面における操作ボタンに指を触れることによって、上位制御部２０２に様々な指令を入力することができる。
【００６６】
記憶部２０５は、フラッシュメモリ等の不揮発性メモリ又はハードディスク装置等の二次記憶媒体等からなる記憶デバイスであり、在高データ２０５ａ及び代替出金制限データ２０５ｂを記憶する。在高データ２０５ａは、紙幣処理ユニット２１０及び硬貨処理ユニット２５０の各々に収納されている貨幣の在高に係るデータである。代替出金制限データ２０５ｂは、代替出金を行う際の制限を示すデータである。
【００６７】
上位制御部２０２は、ＰＯＳレジ２９０から入金要求を受信した場合に、硬貨制御部２５０ａ及び紙幣制御部２１０ａに貨幣の投入の受付を指示する。硬貨制御部２５０ａ及び紙幣制御部２１０ａは、上位制御部２０２からの指示を受けて投入された貨幣を対応する収納部に搬送することで入金処理を行い、入金処理結果を上位制御部２０２に送信する。
【００６８】
上位制御部２０２は、入金処理結果を硬貨制御部２５０ａ及び紙幣制御部２１０ａから受信したならば、在高データ２０５ａを更新し、投入された貨幣の合計金額を求め、投入貨幣の金額情報としてＰＯＳレジ２９０に送信する。
【００６９】
また、上位制御部２０２は、出金する貨幣の金種及び枚数が指定された出金要求をＰＯＳレジ２９０から受信したならば、硬貨制御部２５０ａ及び紙幣制御部２１０ａに貨幣の出金を指示する。硬貨制御部２５０ａ及び紙幣制御部２１０ａは、上位制御部２０２からの指示を受けて指定された金種及び枚数の貨幣を収納部から繰り出して出金処理し、出金処理結果を上位制御部２０２に送信する。
【００７０】
上位制御部２０２は、出金処理結果を硬貨制御部２５０ａ及び紙幣制御部２１０ａから受信したならば、在高データ２０５ａを更新し、釣銭の出金が正常に行われたことを示す通知をＰＯＳレジ２９０に送信する。
【００７１】
ここで、指定された金種及び枚数の出金ができない場合には、上位制御部２０２は、特定の貨幣の金種を他の金種の貨幣を置き換えて、出金の合計金額が同一となるよう代替出金を行う。指定された金種及び枚数の出金ができない場合とは、具体的には、指定された金種の在高が不足している場合や、指定された金種の貨幣が適正に搬送できない場合などである。
【００７２】
さらに、上位制御部２０２は、ＰＯＳレジ２９０からの合計金額要求を受けて、合計金額を通知する処理を行う。
【００７３】
上位制御部２０２は、代替出金及び合計金額に係る処理部として、代替出金制限管理部２０２ａ、代替出金処理部２０２ｂ、代替出金通知部２０２ｃ、合計金額算定部２０２ｄ及び合計金額通知部２０２ｅを有する。
【００７４】
代替出金制限管理部２０２ａは、代替出金制限データ２０５ｂとして記憶部２０５に格納する処理部である。具体的には、代替出金の制限としては、合計枚数上限、金種数上限、階層数上限、貨幣の種別に対する制限、金種の系統に対する制限、金種別代替枚数上限などがある。
【００７５】
合計枚数上限は、釣銭として払い出す貨幣の合計枚数に対する制限である。金種数上限は、釣銭として払い出す貨幣の金種の数に対する制限である。階層数制限とは、ある金種の貨幣を下位の金種の貨幣で代替する場合に、何階層下位の金種まで用いるかを定める。例えば、１００円硬貨を他の貨幣で代替する場合に、階層数制限が「２」であれば、１階層下の５０円硬貨２枚か、２階層下の１０円硬貨１０枚で代替が可能である。また、金種数上限が許せば、５０円硬貨１枚と１０円硬貨５枚で代替することも可能である。
【００７６】
貨幣の種別に対する制限とは、紙幣の代替として硬貨を用いることを許可するか否かを示す。金種の系統に対する制限とは、５系金種と１系金種の組み合わせに対する制限である。５系金種には、５０００円紙幣、５００円硬貨、５０円硬貨及び５円硬貨が含まれる。１系金種には、１００００円紙幣、１０００円紙幣、１００円硬貨、１０円硬貨及び１円硬貨が含まれる。
【００７７】
金種の系統に対する制限では、５系金種を下位の１系金種で代替することを許可するか否か、１系金種を下位の５系金種で代替することを許可するか否か、５系金種を下位の５系金種で代替することを許可するか否か、１系金種を下位の１系金種で代替することを許可するか否かがそれぞれ設定される。
【００７８】
金種別代替枚数上限とは、金種別に代替に用いることができる貨幣の枚数を示す。例えば、５円硬貨の金種別代替枚数上限が「４」であれば、２０円分を５円硬貨４枚で出金することができる。
【００７９】
代替出金処理部２０２ｂは、指定された金種及び枚数の出金ができない場合に、代替出金制限データ２０５ｂに示された制限の範囲内で、出金ができない金種分を他の金種の貨幣を置き換えて代替出金を行う。
【００８０】
代替出金通知部２０２ｃは、代替出金処理部２０２ｂにより代替出金がなされた場合に、ＰＯＳレジ２９０の出金要求に示された金種及び枚数（最適釣銭構成）とは異なる金種及び枚数（代替釣銭構成）の釣銭を出金した旨を示す出金結果をＰＯＳレジ２９０に通知する。この通知には、出金した金種及び枚数や、どの金種について代替出金を行ったかを含めてもよい。
【００８１】
合計金額算定部２０２ｄは、紙幣処理ユニット２１０及び硬貨処理ユニット２５０に収納された貨幣の合計金額を算定する処理部である。合計金額算定部２０２ｄは、在高データ２０５ａにおける金種別の在高が更新された場合に、金種別の在高の合計金額を算出し、在高データ２０５ａにおける合計金額を更新する。金種別の在高の合計金額を釣銭として払い出せる貨幣の合計金額とする場合には、在高データ２０５ａの合計金額を用いることができる。なお、例えば釣銭として使用されない１００００円紙幣を除外して釣銭として払い出せる貨幣の合計金額を求めることもできる。在高データ２０５ａの合計金額以外を釣銭として払い出せる貨幣の合計金額として用いる場合の詳細については後述する。
【００８２】
合計金額通知部２０２ｅは、ＰＯＳレジ２９０から合計金額要求を受信した場合に、合計金額算定部２０２ｄによって算定された釣銭として払い出せる貨幣の合計金額をＰＯＳレジ２９０に送信する処理部である。
【００８３】
次に、図６に示した記憶部２０５が記憶するデータの具体例について説明する。図７は、図６に示した在高データ２０５ａの具体例を示す図である。図７に示した在高データ２０５ａは、在高の合計金額が「２９９９９」であり、１００００円紙幣の在高が「０」であり、５０００円紙幣の在高が「２」であり、１０００円紙幣の在高が「１２」であり、５００円硬貨の在高が「６」であり、１００円硬貨の在高が「４４」であり、５０円硬貨の在高が「５」であり、１０円硬貨の在高が「３２」であり、５円硬貨の在高が「４」であり、１円硬貨の在高が「９」である状態を示している。
【００８４】
図８は、図６に示した代替出金制限データ２０５ｂの具体例を示す図である。図８に示した代替出金制限データ２０５ｂは、合計枚数上限が「１２」であり、金種数上限が「無制限」であり、階層数上限「無制限」である状態を示している。
【００８５】
また、代替出金制限データ２０５ｂは、貨幣の種別に対する制限として、紙幣を硬貨で代替する代替出金を「許可」に設定している。また、金種の系統に対する制限として、５系金種を１系金種で代替する代替出金を「許可」に設定し、１系金種を５系金種で代替する代替出金を「許可」に設定し、５系金種を５系金種で代替する代替出金を「禁止」に設定し、１系金種を１系金種で代替する代替出金を「許可」に設定している。
【００８６】
また、代替出金制限データ２０５ｂは、金種別代替枚数上限について、５０００円紙幣の上限を「０」に設定し、１０００円紙幣の上限を「９」に設定し、５００円硬貨の上限を「９」に設定し、１００円硬貨の上限を「１０」に設定し、５０円硬貨の上限を「４」に設定し、１０円硬貨の上限を「２０」に設定し、５円硬貨の上限を「４」に設定し、１円硬貨の上限を「１０」に設定している。
【００８７】
＜貨幣処理システムの処理手順＞
次に、貨幣処理システムの処理手順について説明をする。図９は、貨幣処理システムの取引に係る処理手順を示すフローチャートである。まず、ＰＯＳレジ２９０は、バーコードリーダ２９８が取得した商品の情報や、操作部２９４により入力された商品の情報に基づいて、購入金額を算出する（ステップＳ１０１）。その後、ＰＯＳレジ２９０は、釣銭機２００に入金要求を送信する（ステップＳ１０２）。
【００８８】
釣銭機２００は、ＰＯＳレジ２９０からの入金要求を受信し、操作者に投入された貨幣を対応する収納部に搬送することで入金処理を行い（ステップＳ１１１）、投入貨幣金額をＰＯＳレジ２９０に送信する（ステップＳ１１２）。
【００８９】
ＰＯＳレジ２９０は、投入貨幣金額を表示し（ステップＳ１０３）、購入金額と投入貨幣金額の差分を釣銭金額として算出し（ステップＳ１０４）、釣銭金額に対応する貨幣の金種ごとの枚数の合計値が最小となる最適釣銭構成を含む出金要求を釣銭機２００に送信する（ステップＳ１０５）。
【００９０】
釣銭機２００は、ＰＯＳレジ２９０から出金要求をＰＯＳレジ２９０から受信して出金処理を実行し（ステップＳ１１３）、出金結果をＰＯＳレジ２９０に送信する（ステップＳ１１４）。
【００９１】
ＰＯＳレジ２９０は、釣銭機２００から出金結果を受信して表示する（ステップＳ１０６）。このとき、代替出金を行った場合には、代替出金を行った旨を表示することになる。その後、ＰＯＳレジ２９０は、商品の決済を確定してレシートを出力し（ステップＳ１０７）、処理を終了する。
【００９２】
図１０は、取引数の報知に係る処理手順を示すフローチャートである。まず、ＰＯＳレジ２９０は、釣銭機２００に対して合計金額要求を送信する（ステップＳ２０１）。釣銭機２００は、ＰＯＳレジ２９０から合計金額要求を受信したならば、釣銭として払い出せる貨幣の合計金額を算定し（ステップ２１１）、ＰＯＳレジ２９０に通知する（ステップＳ２１２）。なお、在高データ２０５ａの合計金額をそのまま釣銭として払い出せる貨幣の合計金額として用いる場合には、改めて算定する必要は無く、在高データ２０５ａから読み出して通知すればよい。
【００９３】
ＰＯＳレジ２９０は、釣銭機２００から合計金額の通知を受け付け（ステップＳ２０２）、釣銭出金可能な取引数を算定する（Ｓ２０３）。そして、算定した取引数を表示部２９３に表示制御することで取引数の報知を行い（ステップＳ２０４）、処理を終了する。
【００９４】
＜変形例＞
これまでの説明では、ＰＯＳレジが取引数の算定を行う構成を例に説明を行ったが、取引数の算定は釣銭機で行う構成であってもよい。図１１は、釣銭機が取引数を算定する場合のＰＯＳレジの制御系の構成図である。図１１に示すように、ＰＯＳレジ２９０ａのＰＯＳ制御部２９１は、図５に示した合計金額受付部２９１ｄ、取引数算定部２９１ｅ及び表示制御部２９１ｆに代えて取引数受付部２９１ｇ及び表示制御部２９１ｈを有する。その他の構成及び動作は図５に示したＰＯＳレジ２９０と同様であるので、同一の構成要素には同一の符号を付して説明を省略する。
【００９５】
取引数受付部２９１ｇは、釣銭機２００ａが算定した取引数を釣銭機２００ａから受信する処理部である。表示制御部２９１ｈは、取引数受付部２９１ｇにより受け付けた取引数を表示部２９３に表示制御する処理を行う。また、表示制御部２９１ｈは、表示制御部２９１ｆと同様に、釣銭機２００ａから代替出金に係る情報を受け付けた場合に、代替出金に係る情報を表示部２９３に表示制御する。
【００９６】
図１２は、取引数を算定する釣銭機２００ａの制御系の構成図である。図１２に示すように、釣銭機２００ａの上位制御部２０２は、合計金額通知部２０２ｅに代えて取引数算定部２０２ｇ及び取引数通知部２０２ｈを有する。その他の構成及び動作は図６に示した釣銭機２００と同様であるので、同一の構成要素には同一の符号を付して説明を省略する。
【００９７】
取引数算定部２０２ｇは、合計金額算定部２０２ｄによって算定された釣銭として払い出せる貨幣の合計金額から取引数を算定する処理部である。具体的には、金種の最高額から最低額を減算した値で合計金額を除算した商を取引数とする。取引数通知部２０２ｈは、取引数算定部２０２ｇにより算定された取引数をＰＯＳレジ２９０ａに送信する処理を行う。
【００９８】
図１３は、釣銭機２００ａが取引数を算定する場合の処理手順を示すフローチャートである。まず、釣銭機２００ａの合計金額算定部２０２ｄは、在高データ２０５ａにおける金種別在高が更新されたならば（ステップＳ３１１）、釣銭として払い出せる貨幣の合計金額を算定する（ステップＳ３１２）。
【００９９】
その後、釣銭機２００ａの取引数算定部２０２ｇは、釣銭として払い出せる貨幣の合計金額から取引数を算定する（ステップＳ３１３）。取引数通知部２０２ｈは、取引数算定部２０２ｇにより算定された取引数をＰＯＳレジ２９０ａに通知する（ステップＳ３１４）。
【０１００】
ＰＯＳレジ２９０ａの取引数受付部２９１ｇは、釣銭機２００ａから取引数の通知を受け付け（ステップＳ３０１）、表示制御部２９１ｈが取引数を表示部２９３に表示制御することで取引数の報知を行い（ステップＳ３０２）、処理を終了する
【０１０１】
次に、取引数を用いた通知の変形例について説明する。図１４は、取引数を用いた通知の変形例の説明図である。図１４に示した釣銭機２００ｂは、釣銭機２００ａと同様に自装置で取引数を算定し（Ｓ２１）、取引数と閾値を比較する（Ｓ２２）。そして、取引数が閾値未満となった場合に、ＰＯＳレジ２９０ｂに対して合計金額エンプティ通知を行う（Ｓ２３）。
【０１０２】
また、釣銭機２００ｂは、各金種の在高についてもそれぞれ対応する閾値と比較し（Ｓ２４）、閾値未満となった金種についてＰＯＳレジ２９０ｂへの金種別エンプティ通知を行う（Ｓ２５）。
【０１０３】
ＰＯＳレジ２９０ｂは、釣銭機２００ｂから合計金額エンプティ通知や金種別エンプティ通知を受けた場合に、通知に対応するエンプティ報知を行う（Ｓ２６）。この構成では、ＰＯＳレジ２９０ｂは、釣銭の補充を示唆すべきタイミングにおいて選択的に報知を行うことができる。
【０１０４】
図１５は、図１４に示したＰＯＳレジ２９０ｂの処理手順を示すフローチャートである。まず、釣銭機２００ｂは、在高データ２０５ａにおける金種別在高が更新されたならば（ステップＳ４０１）、釣銭として払い出せる貨幣の合計金額を算定する（ステップＳ４０２）。
【０１０５】
その後、釣銭機２００ｂは、釣銭として払い出せる貨幣の合計金額から取引数を算定し（ステップＳ４０３）、取引数が対応する閾値未満であるか否かを判定する（ステップＳ４０４）。判定の結果、取引数が閾値未満であれば（ステップＳ４０４；Ｙｅｓ）、釣銭機２００ｂはＰＯＳレジ２９０ｂに対して合計金額エンプティ通知を行う（ステップＳ４０５）。
【０１０６】
ステップＳ４０５の後、もしくは取引数が閾値以上である場合（ステップＳ４０４；Ｎｏ）、釣銭機２００ｂは、在高が対応する閾値未満の金種が存在するか否かを判定する（ステップＳ４０６）。判定の結果、在高が対応する閾値未満の金種が存在しなければ（ステップＳ４０６；Ｎｏ）、そのまま処理を終了する。一方、在高が対応する閾値未満の金種が存在するならば（ステップＳ４０６；Ｙｅｓ）、釣銭機２００ｂはＰＯＳレジ２９０ｂに対して金種別エンプティ通知を行って（ステップＳ４０７）、処理を終了する。
【０１０７】
次に、取引数の変形例について説明する。これまでの説明では、釣銭として払い出せる貨幣すべての合計金額から取引数を算定する場合について説明を行ったが、釣銭として払い出せる貨幣の合計金額を桁別に算定し、桁別の取引数を求めてもよい。
【０１０８】
図１６は、桁別取引数の報知についての説明図である。図１６では、在高データ２０５ａに、１００００円紙幣の在高「７」、５０００円紙幣の在高「２」、１０００円紙幣の在高「１２」、１円硬貨の在高「９」などの金種別在高が示され、その合計金額は「９９９９９」となっている。
【０１０９】
図１６に示した釣銭機２００ｃは、この在高データ２０５ａから桁別に釣銭として払い出せる貨幣の合計金額を算定する。具体的には、１０００円単位の釣銭として払い出せる貨幣の合計金額と、１００円単位の釣銭として払い出せる貨幣の合計金額と、１０円単位の釣銭として払い出せる貨幣の合計金額と、１円単位の釣銭として払い出せる貨幣の合計金額とをそれぞれ算定する（Ｓ３１）。そして、桁別の合計金額から桁別の取引数を算定し（Ｓ３２）、ＰＯＳレジ２９０に通知する（Ｓ３３）。このため、ＰＯＳレジ２９０ｃは、桁別の取引数を報知することになる（Ｓ３４）。
【０１１０】
図１７は、桁別の合計金額と取引数についての説明図である。図１７に示した在高データ２０５ａは、在高の合計金額が「９９９９９」であり、１００００円紙幣の在高が「７」であり、５０００円紙幣の在高が「２」であり、１０００円紙幣の在高が「１２」であり、５００円硬貨の在高が「６」であり、１００円硬貨の在高が「４４」であり、５０円硬貨の在高が「５」であり、１０円硬貨の在高が「３２」であり、５円硬貨の在高が「４」であり、１円硬貨の在高が「９」である状態を示している。
【０１１１】
このうち、最高額の金種である１００００円紙幣は、釣銭として用いられることがないため、その在高は使用しない。また、最高額の金種よりも１桁下の５系金種についても、釣銭として払い出せる貨幣の合計金額には使用しないこととしている。
【０１１２】
１０００円の桁の釣銭として払い出せる貨幣の合計金額（１０００円用釣銭在高）には、１０００円紙幣と、１桁下の５系金種である５００円硬貨を用いている。図１７では、１０００円紙幣の在高が「１２」であり、５００円硬貨の在高が「６」であるため、１０００円用釣銭在高は「１５０００円」である。
【０１１３】
１０００円の桁の取引数は、１０００円用釣銭在高を「９０００」で除算した商とする。従って、図１７では、１０００円の桁の取引数は「１」となる。
【０１１４】
１００円の桁の釣銭として払い出せる貨幣の合計金額（１００円用釣銭在高）には、１００円硬貨と、１桁下の５系金種である５０円硬貨を用いている。ここでは、同じ桁の５系金種である５００円硬貨については、釣銭として払い出せる貨幣の合計金額には使用しないこととしている。図１７では、１００円硬貨の在高が「４４」であり、５０円硬貨の在高が「５」である。５０円硬貨の在高は２５０円分であるが、１００円の桁の釣銭として払い出す想定であるため、１００円未満は切り捨てる。そのため、１００円用釣銭在高は「４６００円」である。
【０１１５】
１００円の桁の取引数は、１００円用釣銭在高を「９００」で除算した商とする。従って、図１７では、１００円の桁の取引数は「５」となる。
【０１１６】
１０円の桁の釣銭として払い出せる貨幣の合計金額（１０円用釣銭在高）には、１０円硬貨と、１桁下の５系金種である５円硬貨を用いている。ここでは、同じ桁の５系金種である５０円硬貨については、釣銭として払い出せる貨幣の合計金額には使用しないこととしている。図１７では、１０円硬貨の在高が「３２」であり、５円硬貨の在高が「４」である。そのため、１０円用釣銭在高は「３４０円」である。
【０１１７】
１０円の桁の取引数は、１０円用釣銭在高を「９０」で除算した商とする。従って、図１７では、１０円の桁の取引数は「３」となる。
【０１１８】
１円の桁の釣銭として払い出せる貨幣の合計金額（１円用釣銭在高）には、１円硬貨の在高を用いる。そのため、１円用釣銭在高は「９円」である。
【０１１９】
１円の桁の取引数は、１円用釣銭在高を「９」で除算した商とする。従って、図１７では、１円の桁の取引数は「１」となる。
【０１２０】
図１７では、桁別の合計金額と桁別の取引数を釣銭機２００ｃが算定してＰＯＳレジ２９０ｃに通知する構成を示したが、釣銭機２００ｃが金種別の在高をＰＯＳレジ２９０ｃに通知し、ＰＯＳレジ２９０ｃが金種別の在高から桁別の合計金額と桁別の取引数を算定するよう構成してもよい。
【０１２１】
また、桁別の合計金額や桁別の取引数は、金種別の在高が更新された時点で算定して記憶しておいてもよいし、桁別の合計金額や桁別の取引数の表示が必要となった時点で算定してもよい。また、桁別の合計金額や桁別の取引数の双方を報知してもよいし、桁別の合計金額や桁別の取引数のいずれかを選択的に報知してもよい。
【０１２２】
ここで、釣銭用の在高データについて説明する。図１８は、釣銭用の在高データについての説明図である。図１８に示すように、在高データ２０５ａは、在高の合計金額が「９９９９９」であり、１００００円紙幣の在高が「７」であり、５０００円紙幣の在高が「２」であり、１０００円紙幣の在高が「１２」であり、５００円硬貨の在高が「６」であり、１００円硬貨の在高が「４４」であり、５０円硬貨の在高が「５」であり、１０円硬貨の在高が「３２」であり、５円硬貨の在高が「４」であり、１円硬貨の在高が「９」である状態を示している。
【０１２３】
在高データ２０５ａに示した金種別の在高のうち、最高額の金種である１００００円紙幣は、釣銭として用いられることがない。そこで、在高データ２０５ａから１００００円紙幣の在高を除外することで、釣銭用の在高データを求めることができる。
【０１２４】
図１８では、釣銭用の在高データは、５０００円紙幣の在高が「２」であり、１０００円紙幣の在高が「１２」であり、５００円硬貨の在高が「６」であり、１００円硬貨の在高が「４４」であり、５０円硬貨の在高が「５」であり、１０円硬貨の在高が「３２」であり、５円硬貨の在高が「４」であり、１円硬貨の在高が「９」となる。このため、釣銭用の貨幣の合計金額は「２９９９９」である。
【０１２５】
このように、釣銭として用いない貨幣を除外して釣銭用の貨幣の合計金額を算定し、かかる合計金額から取引数を求めることでより正確に取引数を得ることができる。例えば、図１８の在高データ２０５ａにおける合計金額「９９９９９」円から取引数を求めると「１０」となるが、実際には７００００円分は１００００円紙幣であるため、１０回未満の取引数で釣銭の不足が生じる可能性がある。一方、釣銭用の貨幣の合計金額「２９９９９」は、釣銭として使用可能な貨幣の在高から求められているため、この合計金額「２９９９９」円から求めた取引数までの取引、すなわち３回までの取引で釣銭の不足が生じる可能性は低くなる。
【０１２６】
なお、ここでは最高額の金種である１００００円紙幣を除外する場合を示したが、例えば２０００円紙幣や５０００円紙幣など任意の金種を除外して釣銭用の貨幣の合計金額を求めることができる。
【０１２７】
また、釣銭用の貨幣の合計金額は、桁別の合計金額や取引数の算定にも使用可能である。さらに、釣銭用の貨幣の合計金額は、必要となった時点で適宜算定してもよいし、金種別の在高が更新された時点で算定して記憶しておいてもよい。
【０１２８】
上述してきたように、本実施例によれば、釣銭機に収納された貨幣の金額に基づいて釣銭出金可能な取引数を算定し、算定した取引数を報知することで、釣銭機の機内の貨幣の在高で対応可能な取引数を効率良く特定し、業務効率の向上を図ることができる。
【０１２９】
特に、一部の金種の貨幣が不足したときに他の金種の貨幣を用いて釣銭を払い出す代替出金を用いる場合には、金種毎の貨幣の枚数のみから釣銭出金の可否を判定することが困難であるため、合計金額に基づく取引数は重要な指標となる。
【０１３０】
具体的には、釣銭機に収納された貨幣の合計金額を算定し、算定した合計金額に基づいて、釣銭出金可能な取引数を算定することができる。また、釣銭機に収納された貨幣の金種毎の枚数と合計金額から取引数を算定することも可能である。さらに、特定の金種の貨幣に代えて該金種の貨幣よりも低額の複数の低額貨幣を用いて代替出金を行う場合に、特定の金種と、特定の金種よりも低額の金種の合計金額を算定して用いることもできる。なお、代替出金に条件を設定する場合には、条件の範囲内で合計金額の算定を行う。また、代替出金を行う場合には、取引数とともに、代替出金に用いる低額貨幣の顧客確認情報を報知してもよい。
【０１３１】
なお、上記の実施例では、本発明をコンビニエンスストアやスーパーマーケット等の貨幣処理システムに適用した場合を示したが、本発明はこれに限定されるものではなく、釣銭の出金を行う任意の貨幣処理システムに適用することができる。
【０１３２】
また、上記の実施例では、ＰＯＳレジが最適釣銭構成を特定し、釣銭の金種及び枚数を指定した出金要求を釣銭機に送信する構成について説明を行ったが、ＰＯＳレジが釣銭金額を指定した出金要求を釣銭機に送信し、釣銭機が釣銭金額に対応する最適釣銭構成を特定する構成としてもよい。
【０１３３】
また、上記の実施例では、ＰＯＳレジが釣銭を算出して出金要求を釣銭機に送信する構成について説明を行ったが、ＰＯＳレジが購入金額を釣銭機に送信し、釣銭機が購入金額に基づいて釣銭金額を算出する構成としてもよい。
【０１３４】
また、代替出金は、在高の不足により出金ができない場合に限らず、在高の調整のために行うこともできる。即ち、在高が所定値を下回る金種については他の金種で代替し、在高が所定値を上回る金種については該金種を用いて他の金種を代替することで、各金種の在高を適正範囲に保つことができる。
【０１３５】
また、代替出金の実行前に顧客に通知し、代替出金を許容するとの確認を得てから代替出金を行うこととしてもよい。
【０１３６】
また、顧客の要望により代替出金を行ってもよい。例えば、５００円の釣銭を全て１００円硬貨で出して欲しい、といった要望を受け、顧客の要望する代替釣銭構成で出金を行うことができる。
【０１３７】
また、顧客の要望などに応じ、代替出金制限データ２０５ｂによる制限を一時的に解除して代替出金を行うこともできる。
【０１３８】
また、上記の実施例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１３９】
本発明の釣銭機、貨幣処理システム、金銭登録機及び貨幣処理方法は、釣銭機の機内の貨幣の在高で対応可能な取引数を効率良く特定し、業務効率の向上を図ることに有用である。
【符号の説明】
【０１４０】
２００、２００ａ、２００ｂ、２００ｃ  釣銭機
２０２  上位制御部
２０２ａ  代替出金制限管理部
２０２ｂ  代替出金処理部
２０２ｃ  代替出金通知部
２０２ｄ  合計金額算定部
２０２ｅ  合計金額通知部
２０２ｇ  取引数算定部
２０２ｈ  取引数通知部
２０３、２４０、２９２  通信部
２０４  操作表示部
２０５、２９５  記憶部
２０５ａ  在高データ
２０５ｂ  代替出金制限データ
２１０  紙幣処理ユニット
２１０ａ  紙幣制御部
２１２、２５１  筐体
２２０  紙幣払出部
２２１、２３５、２３７、２３９  紙幣繰出機構
２２２  紙幣受入部
２２４  出金リジェクト部
２２６  カセット装着部
２３０  搬送部
２３０ａ  周回搬送部
２３０ｂ  接続搬送部
２３２、２５６  識別部
２３４、２３６、２３８  紙幣収納部
２５０  硬貨処理ユニット
２５０ａ  硬貨制御部
２５２  硬貨受入部
２５３  硬貨繰出機構
２５４  入金搬送部
２５８  分岐部
２６０  収納繰出部
２６２  出金搬送部
２６６  硬貨払出部
２９０、２９０ａ、２９０ｂ、２９０ｃ  ＰＯＳレジ
２９１  ＰＯＳ制御部
２９１ａ  購入金額算出部
２９１ｂ  投入貨幣金額情報取得部
２９１ｃ  最適釣銭構成通知部
２９１ｄ  合計金額受付部
２９１ｅ  取引数算定部
２９１ｆ、２９１ｈ  表示制御部
２９１ｇ  取引数受付部
２９３、２９３ａ  表示部
２９４  操作部
２９６  カードリーダ
２９７  印字部
２９８  バーコードリーダ
３００  収納カセット
【図１】
2019003358.tif 000003
【図２】
2019003358.tif 000004
【図３】
2019003358.tif 000005
【図４】
2019003358.tif 000006
【図５】
2019003358.tif 000007
【図６】
2019003358.tif 000008
【図７】
2019003358.tif 000009
【図８】
2019003358.tif 000010
【図９】
2019003358.tif 000011
【図１０】
2019003358.tif 000012
【図１１】
2019003358.tif 000013
【図１２】
2019003358.tif 000014
【図１３】
2019003358.tif 000015
【図１４】
2019003358.tif 000016
【図１５】
2019003358.tif 000017
【図１６】
2019003358.tif 000018
【図１７】
2019003358.tif 000019
【図１８】
2019003358.tif 000020